(57)【要約】      （修正有）【課題】風力発電、水力発電などの如く不安定発電ではなく、安定発電を長期間繰り返し、分散型の典形といえる５００ワット、１０００ワット以上の小型自己発電装置を提供する。【解決手段】４００ＲＰＭで回る中央ギヤー７の周りに、交互使用の２〜８ケの１６００ＲＰＭ安価小型電気モータ５の小ギヤー付フライホイル１及び、多数磁石の反発力利用による増幅力利用で１．１倍以上の力でゼネレーターを回し、発電する。フライホイルはプーリ付小ギヤ２固定の増幅力を中央のギヤーにフライホイル力、磁力の綜合力をプラスし、力を増す。復数のモーターギヤー２の内、常に１ケが中央ギヤーを回し、他はフライホイル１の回転力増大に全数が伝達する。内外２輪に設けた強力磁石反発力は、外輪磁石の回転力を１、１倍以上の力で４００ＲＰＭでゼネレーターに直結する。【選択図】図１
2014051963.tif 000002
【特許請求の範囲】
【請求項１】
充電器付小型１２ボルトバッテリを電源とし、２〜８個の小型ＤＣモータを順次１〜２ケづつ約１６００ＲＰＭで回し、フライホイルプーリー付小ギヤー２〜８個をベルトで回し、中央の大ギヤーを回し、主軸を回し、磁石付外輪を回し、磁石の反発力で磁石付内輪を回し、増幅力を加え、ゼネレータに直結４００ＲＰＭで回し、フライホイル全個の増幅力と磁石の増幅力の合計で１．１倍以上の力で発電する自力発電装置。
充電々源は発電の１部で賄い、外部電源は不要であり、２〜８個のフライホイルプーリ付小ギヤには全数ワンウエイクラッチ付きのため、通電しないギヤーは、ベルト力でフライホイル力のみで中央ギヤーを回し、２〜８ケのＤＣモーターの耐久性は、５０００時間が個数分の４００００時間発電可となり、４００ＲＰＭゼネレーターで所定の安定発電する自力エネルギー発電。
【請求項２】
請求項１の自力発電装置の天板上に垂直軸風力発電用羽根車とセンサー取付した装置は、風力発電として漁船などの船に塔載し、風力発電船とする。
風力発電船は２種あって  １）発電力は小にし主軸回転をスクリュー回転したもの。２）発電ゼネレーターを大にし、発電々気で別の電気モータを回しスクリユーを制御回転する。タイプの２種の内ひとつを選択するが何れも石油なしのもの。１）と２）は、ゼネレーター回転数も異り、１）は４００ＲＰＭ、２）は１０００ＲＰＭを常用としスクリュー径も異る。
水素製造は安全を狙った不沈船で多くの捨てる電気で水の電気分解方式で水素を造り、タンクに貯え持帰り、同時に生れる酸素は船底に他の空気と共に船底にばらまき走行速度も向上する。
又、帰港時、塩の原水も持帰り、港内では、スイッチを切替え電気を造り売電する自力発電船。
【請求項３】
請求項１の自力フライホイル、磁力増幅機構を洋上水力発電装置に塔載し、水不足時、水の流れ不安定時の補助として作動することで水力発電に安定性を向上し、排水路、下水路、小川などに比し、海の潮流発電の採用が安定しており、地震、津波、台風などの対策に優れており、魚、海草の養殖場など同一場の発電所とする。
【発明の詳細な説明】
【技術分野】
【０００１】  本発明は復数の小型電気モータを回し、復数のフライホイル、磁石付、増幅モータで自力発電装置と船。に関する。
【技術背景】
【０００２】  １２ボルトバッテリー電源で、２〜８ケの小型電気モーターを１ケづつ順次回し、（１６００ＲＰＭ）中央のギヤーを４００ＲＭＭで回し、増幅磁石外輪を回し、反発力で内輪を回し、ゼネレーターを４００ＲＰＭで回し、５００Ｗ、１０００Ｗなど発電する。
【発明が解決しようとする課題】
【０００３】  中央ギヤーの外周に設けた多くの小型モーターに設けた１６００ＲＰＭフライホイルの技術力及び外、内輪に設けた多数の強力磁石反発力増幅技術力が課題。
【課題を解決するための手段】
【０００４】  本発明は、以上の課題を次の要件から回転機構に用いることで解決する。
１）多数の電気モータ全数に特殊フライホイル付ギヤーを設け、常に１合ずつ順次駆動以外のフライホイルタイミングプーリベルト付小ギヤーを回す。
２）中央ギヤーの４００ＲＰＭ回転力で外輪磁石を回し、反発力で内輪磁石を回し、この回転力でゼネレーターを回す
【発明の効果】
【０００５】  図１は、１台の自力発電装置に、２〜８ケ電気モータの内４ケ設け、１２Ｖ小型ＤＣモータ１６００ＲＰＭを取付け、１時間交互の１ケに通電し、休み無しで発電するフライホイル小ギヤー付プーリー増幅装置の１部である。
中央ギヤー（７）の回りに小型電気ＤＣモーター（５）を４ケ置き、各モータ主軸にかぶせた軸補助具（６）にシエル形ローラクラッチ（３）を差し込み、その外周に小ギヤー（２）及びフライホイルタイミングプーリー（１）を約１６００ＲＰＭで回し、通電していない３ケ共にタイミングベルト（４）で回し、中央ギヤーを約４００ＲＰＭで力強く回す。
【０００６】  図２は図１の平面図である。
小型ＤＣモーターのブラシ付は、１般的に５０００時間の耐久性を有するため、４ケでは２００００時間以上となる。中央ギヤー（７）は主軸（８）を回す。
【０００７】  図３は、磁石外輪（１０）に１２ケの磁石を固定したもので、発泡スチロールなどプラスチックケース。磁石（９）は内輪磁石を反発するようＮ向きに固定し、約４００ＲＰＭで回る。
【０００８】  図４は、磁石内輪（１１）に１２ケの磁石を傾斜取付したもので、上と同じプラスチークケース。磁石（１２）は外輪磁石を反発するようＮ向き固定し、上と同じ約４００ＲＰＭで回る。
【０００９】  図５は、外内輪の磁石増幅力を得ながら下部のゼネレーター回転で直結する構成を示すもので、中央歯車（７）の回転力は、主軸（８）の回転力となり、磁石付外輪を外輪板（１４）で回し、次に内輪を回し、内輪板（１５）を回し、ゼネレーター（１３）に回転力を直結する。
【００１０】  図６は、２〜６ケの電気モーター付上記自力発電装置の天井上に風力発電発電用羽根車を設け、主軸直結にし、センサーで切替え可能タイプにしたもの。船の走行時羽根車の回転エネルギーをフルに受とめ、バツテリー、充電器を塔載し、石油を１切使用しない自力走行船として主軸回転力を増大し、発電力を小にしたものも可能となる。
【００１１】  図７は、洋上の水力発電ボート（２０）で、ボートの両胴に設けたキャタビラー型水車（２１）を増幅回転磁石輪を介し、２基のゼネレーター（１３）を回し、大出力（３０００Ｗ以上）発電するもの。空気の８００倍をもつ水力発電は、片側５ケ以上をもつ水車の前部には集水管を設けゆっくり流れる水にも採用可能。
【００１２】  図８は、遠洋漁船などの正面を示すもので両胴に水素タンクを設け、転覆を防ぐ不沈船にし、船本体との隙間をなくし、空気、酸素などの気体飛散を極小にし、水の走行抵抗を半分の４００倍目標にし、吸入気体と排気体の船底にばらまく。排気などの気体（２２）は長く船底にとどまるよう水から電気で造る水素は両タンクに保存し持帰る。船の走行に使用する風力発電の走行中電力は回転する羽根車で得、余り電気はすべて水素造り電源となり、水素製造機の稼動は走行中に実施し、タンクに貯える。
帰港々内では、電気モーターエネルギ利用の発電をし売電する。
【００１３】  図９は、上記魚船などの側面を示す。走行中の船底気体（２２）を多く残るようにするため、両胴水素タンク（２３）と本船の隙をなくし、気体吸入口（２５）を設け、先端以外の吸入管（２６）は、できるだけ船首部にばらまくようにし、風力発電の回転力はその儘スクリュー（２７）に直結するタイプと、電力で、電気モーターを回し、その力でスクリューを回すタイプの２種とし、採用する。
【００１４】  図１０は、小型魚船用船外機の石油エンジンを取止めにしたものを示す。
前記図６風力発電に操作ハンドル（２９）を追加し、各スイッチ（２８）を追加し、主軸（８）を伸ばし、スクリユ（２７）を追加した船外機は、２〜６ケのフライホイル力、＋磁力、増幅力を加え、スイッチ操作で走行し、港では発電々力を売電する。
【産業の利用可能性】
【００１５】  本発明の自力発電は、分散型の典形といえるもので、５００Ｗ以上の発電出力を有し、太陽光、などエネルギーを使うことなく利用でき、漁船などの船舶では、１）不沈船で安全性を向上し、２）水素社会の構築が容易となり、３）洋上の利用価値向上がはかれり、４）塩が安くでき、５、電気が安全で安くできる。
【図面の簡単な説明】
【００１６】
【図１】２〜８個のフライホイル力増幅構成の正面図
【図２】４ケ電気モーター付フライホイル増幅平面図
【図３】磁力増幅モータ外輪の平面図
【図４】磁力増幅モータ内輪の平面図
【図５】磁力増幅モータがゼネレータに至る直結正面図
【図６】２〜６個のフライホイル、磁力モータ付船用風力発電正面図
【図７】洋上水力発電側面図
【図８】漁船に風力発電塔載の正面図
【図９】漁船に風力発電塔載の側面図
【図１０】２〜６個のフライホイル、磁力モータ付風力発電付船外機正面図
【符別の説明】
【００１７】１、フライホイル          プーリー    ２、小ギャー
３、シエル形ローラクラッチ            ４、ベルト
５、電気モーター                      ６、電気モータ補助軸
７、中央ギヤー                        ８、主軸
９、外輪磁石                        １０、外輪
１１、内輪                          １２、内輪磁石
１３、ゼネレーター                  １４、外輪板
１５、内輪板                        １６、風力羽根車
１７  バツテリー                    １８、充電器
１９、ゼネレーター回転ガイドピン    ２０、ボートブイ
２１、キヤタビラー型水車            ２２、気体粒
２３、水素タンク                    ２４、船底
２５、気体吸入管                    ２６、気体管
２７、スクリユー                    ２８、計器板
２９、操作ハンドル
【図１】
2014051963.tif 000003
【図２】
2014051963.tif 000004
【図３】
2014051963.tif 000005
【図４】
2014051963.tif 000006
【図５】
2014051963.tif 000007
【図６】
2014051963.tif 000008
【図７】
2014051963.tif 000009
【図８】
2014051963.tif 000010
【図９】
2014051963.tif 000011
【図１０】
2014051963.tif 000012